Podtech/llm-jp-corpus-v4-ja_patent huggingface dataset:
(57)【要約】【課題】充分な打球飛距離を得ることができる。【解決手段】β型チタン合金板を５６０℃〜６５０℃で時効熱処理してなるフェース体を備えている。β型チタン合金としてはＴｉ−１５Ｖ−６Ｃｒ−４ＡｌやＴｉ−１５Ｍｏ−５Ｚｒ−３Ａｌ等を使用できる。上記時効熱処理に先だってβ型チタン合金板を圧延温度３００℃＋−３０℃、圧下率２０％〜６０％で圧延すると良い。【選択図】        なし【特許請求の範囲】
【請求項１】
β型チタン合金板を５６０℃〜６５０℃で時効熱処理してなるフェース体を備えたゴルフクラブヘッド。
【請求項２】
前記時効熱処理に先だって前記β型チタン合金板を圧延温度３００℃＋−３０℃、圧下率２０％〜６０％で圧延して前記フェース体とした請求項１に記載のゴルフクラブヘッド。
【発明の詳細な説明】
【０００１】
【発明の属する技術分野】
本発明はゴルフクラブヘッドに関し、特にそのフェース体に特徴を有するゴルフクラブヘッドに関するものである。
【０００２】
【従来の技術】
ゴルフクラブヘッドのフェース体として軽量で高強度なチタン合金材を使用することが提案されており（特許文献１）、このうち、β型チタン合金材は冷間圧延等の冷間加工性に優れ製造容易な点で注目されている。ところで、ゴルフクラブの性能では打球飛距離を向上させることが最も要請されるところであるが、このためには、フェース体のヤング率および内部摩擦損失を可及的に小さくする必要がある。そこで近年、ヤング率の低下を狙って、冷間圧延のみを行い時効熱処理を行わない、いわゆる「ａｓ  Ｒｏｌｌ」のβ型チタン合金材を使用したフェース体が市場に提供されつつある。
【０００３】
【特許文献１】特開平６−２４０３９０
【０００４】
【発明が解決しようとする課題】
しかし、上記「ａｓ  Ｒｏｌｌ」チタン合金材は耐久性に問題があるとともに、内部摩擦損失が未だ大きいために充分な打球飛距離は得られないという問題がある。耐久性が低下するのを避けるためにはチタン合金材を時効熱処理するのが良いが、５００℃〜５３０℃で行われる従来の時効熱処理によってはヤング率の低下が充分でないために、やはり充分な打球飛距離は得られなかった。
【０００５】
そこで本発明はこのような課題を解決するもので、充分な打球飛距離を得ることができるゴルフクラブヘッドを提供することを目的とする。
【０００６】
【課題を解決するための手段】
上記目的を達成するために、本発明のゴルフクラブヘッドは、β型チタン合金板を５６０℃〜６５０℃で時効熱処理してなるフェース体を備えている。ここで、β型チタン合金としてはＴｉ−１５Ｖ−６Ｃｒ−４ＡｌやＴｉ−１５Ｍｏ−５Ｚｒ−３Ａｌ等を使用できる。上記温度範囲で時効熱処理したフェース体はヤング率および内部摩擦損失が共に小さいから、大きなボール反発力を発揮し、打球飛距離が増大する。上記温度範囲よりも時効熱処理温度が低いとヤング率が充分小さくならず、特に５００℃以下では内部摩擦損失も大きい。また、時効熱処理温度が上記温度範囲を越えると、ヤング率は小さくなるが内部摩擦損失は再び大きくなってしまう。打球音については、上記温度範囲で時効熱処理したフェース体は、特に上級者に好まれる、低く残響の長い打球音を生じる。上記温度範囲よりも時効熱処理温度が低いと打球音の周波数が低くならない。特に５００℃以下では残響が短くなる。また、時効熱処理温度が上記温度範囲を越えると、打球音の周波数は低くなるものの、残響の長さが短くなってしまう。なお、上記時効熱処理に先だってβ型チタン合金板を圧延温度３００℃＋−３０℃、圧下率２０％〜６０％で圧延すると良い。
【０００７】
【発明の実施の形態】
β型チタン合金のＴｉ−１５Ｖ−６Ｃｒ−４Ａｌ材を冷間圧延して２．７ｍｍの板体とし、これを表１に示す実施例（１）〜（３）、比較例（１）〜（４）の各温度で時効熱処理を行ってフェース体とした。時効熱処理温度は実施例（１）〜（３）でそれぞれ５６０度、６００度、６５０度とし、比較例（１）〜（４）ではそれぞれ４５０度、４９０度、５３０度、７００度とした。なお、β型チタン合金としては他にＴｉ−１５Ｍｏ−５Ｚｒ−３Ａｌ等が使用できる。
【０００８】
このようにして得られたフェース体１を、図１に示すような断面の容器状鋳造本体２の開口に溶接覆着してドライバヘッドＨとした。上記鋳造本体２はＴｉ−６Ａｌ−４Ｖ材で構成され、ソール部２１は１．５ｍｍ、トップ部２２は０．９ｍｍである。ドライバヘッドＨの全体容積は３８０ｃｃ、重量は１８８ｇであり、ロフト角は１０．５度とした。
【０００９】
鋳造本体２に装着された実施例（１）〜（３）およ比較例（１）〜（４）の各フェース体１に対して、その中心部に、直径４０ｍｍの鋼球を介して１０００Ｋｇｆの荷重を印加すると、その変形量（ｍｍ）は表１に示すように、実施例（１）〜（３）がいずれも１．３７、１．４０、１．４２と、比較例（１）〜（３）の１．２８、１．０９、１．１２に比して大きく、打球時に大きく撓んで高い反発係数を示すことがわかる。ちなみに、これら変形量から算出されるヤング率（ＧＰａ）は実施例（１）〜（３）が８９、８７、８６であり、比較例（１）〜（３）の９５，１１２，１０９に比して十分に小さい。また、この時の内部摩擦損失（％）は実施例（１）〜（３）がいずれも１．２、１．３、１．４と小さいのに対して、比較例（１）、（４）では４．０と大きい。
【００１０】
そこで、実施例（１）〜（３）および比較例（１）〜（４）の各フェース体１を装着したドライバヘッドに４５．５インチのシャフトを装着して、ヘッド速度４０ｍ／ｓで打球すると、トータル打球飛距離（ヤード）は実施例（１）〜（３）がそれぞれ２５２、２５３、２５１と、比較例（１）〜（４）の２４０，２４１，２４５，２４１に比していずれも長い。実施例（１）〜（３）のフェース体１を使用すると、いずれもキャリー自体の距離が延びており、球反発性能が良いことが証されている。
【００１１】
また、打球音について、特に上級者では周波数が低めで残響音が長いことが好まれる。この点、打球音の主周波数（ＫＨｚ）は実施例（１）〜（３）がそれぞれ４．１７，４．１２，４．１０，４．１３と、比較例（１）〜（３）の４．３１，４．６７，４．６１に比して低く、かつ残響時間（ｓ）は実施例（１）〜（３）がそれぞれ２．２，２．１，２．０と、比較例（１）、（４）の１．２に比して長い。
【００１２】
以上のように、実施例（１）〜（３）の時効熱処理温度で得られるフェース体を使用したドライバヘッドは、いずれも十分な打球飛距離が得られるとともに、打球音が低くかつ残響も長い。なお、本発明のフェース体の適用対象はドライバヘッドに限られないことはもちろんである。
【００１３】
【表１】
2004173885.tif 000002
【００１４】
【発明の効果】
以上のように、本発明のゴルフクラブヘッドによれば充分な打球飛距離を得ることができる。
【図面の簡単な説明】
【図１】ドライバヘッドの断面図である。
【符号の説明】
Ｈ…ドライバヘッド、１…フェース体、２…鋳造本体。
【図１】
2004173885.tif 000003
(57)【要約】【課題】稲刈り後に一時的、湛水状態にしてレンゲの種子を播種することで、従来の自然農法による乾式直播稲作の一部改修、工程を加味して稲作の円滑を図る。【解決手段】稲刈り後、再び一時的、田に水を入れトラックターなどで耕して整地し、苗代状になした田に動力噴射機などを使用、レンゲの種子を散布する。翌年の４月下旬から５月上旬にかけて、田に成育しているレンゲの中にモミ種を株播きする。【選択図】  なし【特許請求の範囲】
【請求項１】
稲刈り後、再び一時的に田に水を入れ、トラックターなどで耕して整地し、苗代状になして動力噴射機などを使用、レンゲの種子を田に散布するレンゲ耕起栽培によるコメ作の乾式直播不耕起栽培方法。
【発明の詳細な説明】
【０００１】
【発明の属する技術分野】
本発明は、稲刈り後、再び一時的に田に水を入れ耕起してレンゲを栽培する。除草剤また、農薬による病害虫の予防駆除の使用をすべて排除する。また、化学肥料、有機肥料等も施さない。自然のなかに稲を放置するのではなく、自然の状態を適切に生かし、または、そこへ誘導する稲作自然栽培方法に関するものである。
【０００２】
【従来の技術】
従来からの、レンゲ栽培による稲の不耕起栽培方法は、最小限に人の手を加えない完璧を主旨とする自然農法であった。従って自然農法に執着するあまり、レンゲの播種も初回の一回限りとし、田の耕起などは皆無とした。
【０００３】
【発明が解決しょうとする課題】
本発明は、田を耕運する経費、レンゲの種子代金、レンゲ種子散布の労賃などを必要とし、自然農法の主旨に大いに反する。が、田を耕し、レンゲ種子を散布するという自由な発想で、問題点の打開を図るものである。
従来の自然農法の在り方の一部を修正し、より実用化の方向にもっていくというのが骨子である。レンゲ栽培による稲の不耕起栽培方法のこれまでの弱点の一部を改修し、自然農法によるコメ栽培法を、より実質的なものに改革をなすものである。
【０００４】
従来からのレンゲ栽培による稲の不耕起栽培方法では、前年の稲株があり、翌春、稲株からいたるところで発芽する。従って、新旧入れ混じり、稲が密集して通風が悪く稲の育成を妨げた。また、密集した稲は徒長するし、病害虫の発生も促した。
【０００５】
田面には前年の足跡などの凹みが多く、凹みの稚苗は冠水し腐敗して消えた。
【０００６】
稲を刈って田に藁を切り込んだり、刈った藁を田に放置したりすると、すでに発芽している初期の小さく若いレンゲは消える。従って藁の必要あるなしに関わらず、藁は田より外に搬出せねばならない労力を要した。
【０００７】
レンゲの種子を播種する初回を除いて、レンゲは年毎に密集を重ね繁茂を増大させる。従って、従来からの泣きどころであるモミ種の発芽率の低下、繁茂するレンゲの中での稚苗の成育に好ましからぬ影響を与えた。
【０００８】
【課題を解決するための手段】
【０００９】
旧来の自然農法の一部を改修し、田を耕し、レンゲを新たに播種するという工程を加味する。
【００１０】
自然農法の命題にこだわらず臨機応変に対処して、稲刈り後、藁を切り込んだ田をトラックターで耕す。レンゲの種子を動力噴射機で田面に散布する。
【００１１】
稲刈り後、耕すことで前年のレンゲは生えない。毎年、新たにレンゲを播種するこの方法は、問題点である不必要なレンゲの繁茂を矯正できる。モミ種の発芽を増長し、また、レンゲの中での稚苗の成育に支障をきたさない。
【００１２】
【発明の実施の形態】
発明の実施の形態を実施例にもとずき説明する。
稲刈り後、再び一時的、田に水を入れ、トラックターなどで耕して整地し、苗代状になした田に動力噴射機などを使用、レンゲの種子を散布する。翌年の４月下旬から５月上旬にかけて、田に成育しているレンゲの中にモミ種を株播きする。レンゲ耕起栽培によるコメ作の乾式直播不耕起栽培方法である。
【００１３】
【発明の効果】
毎年新規のレンゲ栽培によるので、レンゲ繁茂による弊害がおこらない。
【００１４】
旧稲株から発芽する稲、新規な稲が混同して無秩序の状態になり、通風を悪化し病害虫を発生させる懸念がない。
【００１５】
田面は均一であるから、凹みで成育中の稚苗が冠水して腐敗する懸念がない。
【００１６】
従来からのレンゲ栽培による稲の不耕起栽培方法はすでに久しい。自然農法の究極の理想を追及するあまり、進展することなく停滞を余儀なくされてきた。
従って本発明は、自然農法のうえから邪道というべきものであるが、定石を覆すことで、あえて改革をなし得るものである。稲の栽培に化学肥料及び有機肥料を施肥しない。除草剤を使用しない。農薬等を一切用いない自然農法の特徴を現実に持続し、運営することができる特徴を有する。
(57)【要約】【課題】ナイロンカッターの欠点である異物の飛散から身体を防護する、ナイロンカッター用異物飛散防護カバーを提供する。【解決手段】カバー本体（２）にシート（３）を設け、ギヤーハウジング（５）の左側に、ナイロンカッター（１）の左上部と左側を覆うように、機械付属防護具（４）と共に取り付けることを特徴とする。【選択図】    図１
2004173671.tif 000002
【特許請求の範囲】
【請求項１】
ナイロンカッター（１）の左上部と左側を覆うように取り付けた本体（２）の左側にシート（３）を付けた、ナイロンカッター用異物飛散防護カバー。
【発明の詳細な説明】
【０００１】
【発明の属する技術分野】
この発明は、ナイロンカッター（１）が高速で回転することによりつくる渦巻き状の気流をうまく使い、飛散異物をカバー本体（２）内に納め、異物が広範囲に飛散することを防ごうとするナイロンカッター用異物飛散防護カバーに関するものである。
【０００２】
【従来の技術】
ナイロンカッターを使用すると、草、小石、土、泥等様々物が作業者に飛んでくる。従って、作業者の衣服は洗濯をしても落ちない位に汚れ、また、作業者は常に危険にさらされていた。
【０００３】
【発明が解決しようとする課題】
これは次のような欠点があった。
イ．ナイロンカッターを使用したときは、草、小石、土、泥等様々な物が飛散し、衣服を汚し安全でなかった。
ロ．衣服の汚れを落とすことは、大変煩わしかった。
ハ．重装備とも思えるような安全具や汚れ防止衣服をまとわなくてはならなかった。
本発明は、以上の欠点を解決するためになされたものである。
【０００４】
【課題を解決しようとする手段】
ナイロンカッター（１）の左上部と左側を覆うようにカバーを設ける。そして、その左側にシート（２）を設ける。機械付属防護具（４）と共に設ける。
本発明は、以上の構成よりなるナイロンカッター用異物飛散防護カバーである。
【０００５】
【発明の実施の形態】
以下、本発明の実施の形態を説明する。
（イ）カバー本体（２）にシート（３）を設ける。
（ロ）ギヤーハウジング（５）の左側に、ナイロンカッター（１）の左上部と左側を覆うように、機械付属防護具（４）と共に、（イ）を取り付ける。
本発明は、以上のようになっている。
本発明を使用するときは、機械に（図１）のように取り付けておくだけで、次のようにして飛散物を集めることが出来る。
ナイロンカッターは高速で回転している。
したがって、ナイロンカッター（１）は渦巻き状の気流を作り出している。その気流を上からカバー本体（２）が押さえ込み、ナイロンカッター（１）がはじき出す飛散物をシート（３）封じ込める。この結果、異物が飛散することはない。
また、刈り払った草は、うまく後ろに集められる。
【０００６】
【発明の効果】
本発明を使用することによって、ナイロンカッター（刈払刃）からの異物の飛散はほとんどなくなり、これまでのように衣服を汚すことなく安全に作業することが出来る。
【図面の簡単な説明】
【図１】本発明の使用状態を示す斜視図
【符号の説明】
１．刈払刃（ナイロンカッター）
２．カバー本体
３．シート
４．機械付属防護具
５．ギヤーハウジング
【図１】
2004173671.tif 000003
(57)【要約】【課題】煙草の有害物質を除去するフイルターに、ぐみ種子抽出物を添加した場合の効果及び添加方法の開発。【解決手段】ぐみ種子抽出物は液状が多いので、煙草フイルターに物理的混入、注入を原則的に採用し、ぐみ種子抽出物を煙草煙にふれ易くして、ぐみ種子の薬理効果発揮が完全に出来る様にした。【選択図】    図１
2004173658.tif 000002
【特許請求の範囲】
【請求項１】
１  ぐみ属ぐみ科植物の種子を溶媒で抽出した抽出物を、煙草フイルターに含浸又は係留させるにあたり、主煙草フイルターの重量の０、５％以上含有させるぐみ種子抽出物を含む煙草フイルター。
【発明の詳細な説明】
【０００１】
【発明の属する技術分野】
本発明は、煙草フイルターにぐみ種子の抽出物を利用し、抽出物に含まれる生理活性物質の作用で、煙草喫煙時の毒性を軽減する技術である。
【０００２】
【従来の技術】
煙草フイルターには、フイルターに鉄塩や出願人らが開発したクロレラ、スピルリナを含有するものなど、多くの物質を含むものがある。
【０００３】
【特許文献】
１  特許出願公告  昭６０−４４９１１
２  ＵＳＰ        ４、７５６、３１９
【０００４】
【発明が解決しようとする課題】
従来煙草フイルターに含有している物質より有害物除去作用が高く、製造工程も容易な有効物質の開発。
【０００５】
【課題を解決するための手段】
ぐみ種子抽出物を煙草フイルターに利用したこと。
【０００６】
【発明の実施の形態】
発明の詳細を図面により説明する。
図１は煙草フイルターの断面図であるが、図の符号で１は煙草フイルター、２はセルローズフイルター部分、３はぐみ種子抽出物を含有するフイルター部分、４も２と同じくセルローズフイルターを示す。
この図では、ぐみ種子抽出物を含有するフイルターをセルローズフイルターと分離してあるが、セルローズフイルター全部にぐみ抽出物を含有させても良く、出願人が開発したクロレラフイルター使用の商品では、一つのフイルター内にクロレラ粒子を分散させている。
このクロレラ用のフイルターは、喫煙用パイプ１個当たり直径５ｍｍ，長さ１０ｍｍ，重量５０ｍｇのセルローズフイルターである。
このクロレラ用のフイルターに、ぐみ種子抽出物を５ｍｇ含有させる。ぐみ種子の溶媒抽出物は粘調性液体、又は超臨抽出法などによる液体、特殊製法による粉などの固相体などがあるが、フイルターに含有する上ではどの様な形態でも差しつかえは無い。
含有させる方法は、物理的混入でも注入でもフイルター内に混入出来れば良く、喫煙時の煙草の煙がフイルター内のぐみ種子抽出物に接触する様に含有させれば良い。
【０００７】
【発明の効果】
出願人の開発したクロレラ、スピルリナなどを含有する煙草フイルターでも、その特許公報に記載するように顕著な有害物質吸着作用があるが、このぐみ種子抽出物による有害物吸着作用はタール、ニコチンの除去以外に３、４−ベンツピレンも吸着する特性があり、セルローズフイルターのみでは煙草煙中の３、４−ベンツピレンが１０ｎｇ残存したのに対し、ぐみ種子抽出物を含む煙草フイルターの場合は完全に吸着し、検出されなかつた。
また、このぐみ種子抽出物は中国の国家プロジェクトとして研究されており、煙草フイルターに使用する事により有害物除去以外に、ぐみ抽出物の薬理作用例えば血液の流れ改善、心臓、消化器、呼吸器、免疫系などの賦活作用も期待されるなど、従来の煙草フイルターとは異なる作用機序がある様に推察される。その意味で本発明の効果は、従来の煙草フイルターに付加しうる有益性があり、保健衛生上の価値も大きい。
【０００８】
【図面の簡単な説明】
【図１】ぐみ種子抽出物を含む煙草フイルターの断面図である。
【符号の説明】
１    煙草フイルター
２    セルローズフイルター
３    ぐみ種子抽出物を含有するフイルター
４    セルローズフイルター
【図１】
2004173658.tif 000003
(57)【要約】【課題】社会現象となっている歩きタバコによる子供への火傷や寝タバコによる火災の防止を行う。【解決手段】本発明にタバコを挿入することで安全に喫煙できる。【選択図】図２
2004173656.tif 000002
【特許請求の範囲】
【請求項１】
タバコの火が直接人や物に触れるのを防ぐ為のカバーです。
【発明の詳細な説明】
【０００１】
【発明の属する技術分野】
歩きタバコによる火傷や寝タバコによる火災を防ぎます。
【０００２】
【従来の技術】
タバコの火が剥き出し状態で歩きタバコでの子供への火傷や寝タバコによる火災が発生していた。
【０００３】
【発明が解決しようとする課題】
社会問題となっている危険な歩きタバコの危険の軽減及び寝タバコによる火災の防止を行います。
【０００４】
【課題を解決する為の手段】
別紙図面上のタバコガードを既存のタバコに被せる事により危険を減少させます。
【０００５】
【発明の実施の形態】
素材には耐熱・耐火に優れた素材を使用します。
胴体部分に通気穴が開いているのでタバコの火が消えることは無い。
先端の穴を広めにすることでガードを被せたままでもタバコに火をつけることが可能。
タバコ止め部分をタバコの直径よりも幾分小さくすることで差し込んだ際にタバコを締め付け抜けにくくしている。
先端に灰貯め部分を設けることで灰を貯めておくことが可能。
【図面の簡単な説明】
【図１】本発明の全体図である。
【図２】本発明の断面図である。
【符号の説明】
Ａ：通気穴
Ｂ：灰貯め
Ｃ：タバコ止め
【図１】
2004173656.tif 000003
【図２】
2004173656.tif 000004
(57)【要約】【課題】梅を加熱して生成するムメフラールを付着または浸透させた魚干物の提供【解決手段】梅干を加熱したもの、青梅を煮詰めた梅肉エキスまたは熟した梅を加熱したものを開き加工、洗浄した鮮魚に付着または浸透させた後、これを水洗い後または直接に乾燥した魚干物【選択図】    図１
2004173659.tif 000002
【特許請求の範囲】
【請求項１】
梅干を加熱し、ムメフラールを生成した梅肉を魚干物加工の過程で付着または浸透させて製造した魚干物
【請求項２】
青梅を加熱凝縮してムメフラールを生成させた梅肉エキスを魚干物加工の過程で付着または浸透させて製造した魚干物
【請求項３】
梅を加熱してムメフラールを生成させた梅肉を魚干物加工の製造過程で付着または浸透させて製造した魚干物
【発明の詳細な説明】
【０００１】
【発明の属する技術分野】
本発明は梅を加熱して生成されるムメフラールを魚干物に付着または浸透させて健康に良く、干物の酸化を抑制し、美味な魚干物に関するものである。
【０００２】
【従来の技術とその課題】
従来魚干物は魚を長期保存する目的で古くから天日乾燥により、魚の水分を完全に乾燥したものであった。近年冷凍室を有する冷蔵庫の普及により、一夜干と称せられる半乾燥の魚干物を冷蔵または冷凍して市場に出す製品が一般的となった。魚の表面は乾燥させるが、中身は半乾燥の状態であり、以前の完全な乾燥干物に比べて格段に美味である。この魚干物の品質向上対策としては更にビタミンＣ系などの抗酸化剤により劣化を防ぐ方法や、天然塩、海洋深層水、干物用酒などの味をよくする材料の利用などの工夫された製品の提供がされている。この他、食用の着色剤も使用される場合がある。このようにランクアップした魚干物を更に美味しくする為の新たな工夫を市場は求めている。
【０００３】
【課題を解決するための手段】
上記の様な市場の要請に応えるため、本発明は魚干物に加熱した梅干または梅肉エキスまたは加熱した梅肉を付着または浸透させるものである。
【０００４】
【発明の作用・効果】
請求項１の発明によると、梅干を加熱することにより、血液をさらさらにする特効成分のムメフラールを生じさせ、これを魚干物に付着または浸透させて、健康に有用な魚干物を作ることができる。梅干を加熱し、あるいは青梅を加熱し、煮詰めた梅肉エキスに含まれる血液をさらさらにする特効成分ムメフラールは農水省食品総合研究所の上席研究官菊池祐二博士により発見され、最近注目されている。ムメフラールは梅に含まれる糖質「５−ヒドロキシメチルフルフラール（ＨＭＦ）」とクエン酸がエステル結合したこれまで発見されなかった新規物質であり、菊地博士が「ムメフラール」と命名した。梅干を加熱してムメフラールを生じさせる方法は後述の梅肉エキスに比べて安価に製造でき、梅肉のほのかに甘い果肉の味わいがあるなどの長所がある。また梅に含まれるクエン酸は抗酸化機能があり、魚干物の酸化を防ぐことができる。魚干物とクエン酸の酸味は取り合わせがよく、焼いた魚干物をポン酢で食べることが一般的に行われている。クエン酸は青魚の生臭さを少なくする効用もある。クエン酸はクエン酸回路としてイギリスのクレプス博士が発表した仕組みで体内で酸化物を最後まで燃焼酸化させる働きをする。クエン酸は体内で体力の増強や、殺菌、体内状況をアルカリに保つ働きがある。クレプス博士はこの業績により、ノーベル賞を授与されている。梅肉は青魚との味の取り合わせがよく青魚の青臭さを消す効果がある。梅干を作る際に紫蘇の葉を入れて赤い色の梅干を作り、この梅肉をジャム状にして付着または浸透させると魚干物を薄い赤い色の食欲をそそる着色ができる。実験の結果、さんま一匹分の魚干物に要する梅干半個程度の量で十分であり、経済的にも利用可能な必要量である。加熱した梅干のジャム状のものをさんま、あじ、かますに付着、浸透させて乾燥して作った魚干物は何れも美味であり、さっぱりとして美味しいものであった。
請求項２の発明によると、青梅を煮て凝縮したムメフラール成分を含む梅肉エキスを魚干物に付着または浸透させることにより、血液をさらさらにすることが出来、クエン酸成分により、抗酸化機能を付与でき、美味となる。請求項３によると、梅干用の熟した梅を摘果した際に、梅干用としてはサイズ、形状が不適な梅を利用してこれを加熱し、ムメフラールを生成させて魚干物の製造過程で付着または浸透させて請求項１と同様の効果を生むことが出来る。梅干と異なり、低塩分または塩分を加えないで作ることも出来、低塩分の魚干物の加工が出来る。
【０００５】
【発明の実施の形態】
本発明の実施形態を図面を参照しながら説明する。図１は本発明の工程の一実例である、加熱した梅干を魚干物に付着または浸透させる工程を示す。紫蘇を加えて赤い色を出した梅干または紫蘇を加えない梅干を１０分以上加熱して梅干内部にムメフラールを生成し、種を除去した後、練ってジャム状に加工する。梅干を加熱する方法としては焼く方法、蒸す方法、煮る方法、電子レンジで加熱する方法がある。このムメフラールを含有する梅干のジャム状のものを開き加工して洗った鮮魚に付着し、一定時間漬けた後、水洗いして乾燥する方法と水洗いせずにそのまま乾燥する方法がある。夫々の方法は見た目や味わいに差があり、好みにより選択する。梅干のジャム状のものと天然塩、干物加工用酒などの味付け材料と一緒にして味わいを広げることができる。乾燥は乾燥室による方法と天日干しによる方法がある。乾燥後はそのまま食用にするか、冷蔵または冷凍して保管し、出荷する。
【０００６】
図２は本発明の工程の一実施例である。青梅を煮詰めた梅肉エキスを魚干物に付着、浸透させる工程を示す。青梅を煮詰めた梅肉エキスにはムメフラールが含まれており、これを開き加工した鮮魚に付着または浸透させる。その後、これを一旦水洗いして乾燥する方式と水洗いせずに乾燥する方式を好みにより選択する。梅肉エキスと天然塩、干物加工用酒などの味付け材料により味わいを広げることができる。乾燥後はそのまま食用にするか、冷蔵または冷凍して保管し、出荷する。
【０００７】
図３は本発明の工程の一実施例である。梅干用の熟した梅の摘果の際にサイズ、形状が不適な梅を加熱してムメフラールを生成する。加熱する方法としては焼く方法、蒸す方法、煮る方法、電子レンジで加熱する方法がある。この梅肉をジャム状のものと天然塩、干物加工用酒などの味付け材料と一緒に漬け込み付着または浸透させる。この後、これを水洗いして乾燥する方法と水洗いせずに乾燥させる方法がある。乾燥後はそのまま食用にするか、冷蔵または冷凍して保管し、出荷する。
【０００８】
【図面の簡単な説明】
【図１】
【１】本発明の一実施形態である、加熱した梅干を魚干物に付着または浸透させる工程図である。
【図２】本発明の一実施形態である、梅肉エキスを魚干物に付着または浸透させる工程図である。
【図３】
【３】本発明のいち実施例である。梅干用の摘果の際に不適にされた梅を加熱した梅肉を魚干物に付着または浸透させる工程図である。
【図１】
2004173659.tif 000003
【図２】
2004173659.tif 000004
【図３】
2004173659.tif 000005
(57)【要約】      （修正有）【課題】マンションのベランダ等に置くプランタのような小規模なものでは少量の自動連続給水を行う事は大変な事で有り、費用とのバランスを考えると大規模なもののようには行かない。【解決方法】水道から送られた水は、ホースが接続された給水管接続口１２から入り、フロート式タンク給水調整バルブを通って水位調整タンク３に送られ、或る水位に貯えられ、毛細管式給水管内に拡がってフェルトパッキンを介してフェルトパネルに送られ、これに接する下部タンク内の砂で全体的に拡散されて植物に与えられる。上部枠と下部タンクはノブで一体に組合わされ、必要に応じて分解出来る。水位調整タンク３の上げ下げはタンク支持具に付いたボルトによって行う事が出来る。【選択図】図１
2004173660.tif 000002
【特許請求の範囲】
【請求項１】
植物栽培での自動連続少量給水で毛細管現象を利用した事を特徴とする。
【請求項２】
毛細管現象を利用した供給で、水位の調整をフロート式のバルブで行うようにした事を特徴とする。
【発明の詳細な説明】
【０００１】
【従来の技術】
大規模なものはスプリングクラーを使った散水が行われ、小規模の場合はジョロによる散水で水の供給がなされていた。水耕栽培のように多量の水を使う場合は給水のコントロールが行い易いが、マンションのベランダ等を利用して置くプランタンのような小規模なものでは自動少量連続給水を行う事が難しかった。給水が足りなければ萎び、多過ぎると根腐されするので管理に気を使わねばならなかった。
【０００２】
【産業上の利用分野】
自動連続少量給水を行えるようにした事でマンションのベランダ等を利用する小規模菜園の効率化に寄与出来るようになった。電気暖房器具による温室化とか人工燈を使った同化作用による成長促進とかを併用して利用価値を高める事が出来る。本実施例では３ミリと２ミリのアクリル板、５ミリ角と５ミリ直角二等辺三角形のアクリル棒と接着剤を使って作っているが、必要に応じてプラスチック成型にする事も出来る。
【０００３】
【課題を解決しようとする手段】
自動連続少量給水を行うのに毛細管現象を利用する。水の拡散を高め易くする為に適当な粒径の砂を用いる。砂も毛細管現象が起こり易いものを用いる。野菜が根を張って倒れ憎いようにする為に少量の砂利を混ぜる。給水の調整は水位の調整で行う。
【０００４】
【作用】
毛細管式給水管への給水量の調整は給水槽の水位の調整で行う。給水槽の水位はフロート式バルブのフロートが上下し、給水槽の水位が上がるとフロートが上がって穴を塞ぐようになって給水量が減り、給水槽の水位は下がる。給水槽の水位が下がればフロートが下がって給水量が増え、給水槽の水位が上がるように働く、このような事を繰り返して、或る範囲に水位は保たれる。必要な給水量に合わせて水位の範囲が決まり、これに合わせてフロート式バルブと一体となった水位調整タンクの上げ下げを行う事が出来る。水位調整タンクへの給水もフロート式バルブを用いて給水量の加減が行えるようになっており、水道からの給水量を或る程度合わせれば、後はフロート式バルブが自動的に調整する。水位調整タンクに肥料等を加える事で植物への施肥を行う事が出来る。毛細管式給水管から送られた水はフェルトパッキンを介してフェルトパネルに送られ砂に伝えられて植物に与えられるよになる。毛細管現象を利用しているので砂の入ったタンクに水が溜まる事は無くなり、排水穴を設ける必要は無い。
【０００５】
【実施例】
次に、図面に基づいて本発明の実施例につき説明する。図１は全体組立平面図、図２は全体組立側面図、図３は全体組立正面図、図４は全体組立Ｂ−Ｂ矢視図、図５は水位調整タンク平面図、図６は水位調整タンク正面図、図７は水位調整タンク側面図、図８はＡ−Ａ矢視断面拡大図、図９はＣ矢視図、図１０は毛細管式給水管断面拡大図を示す。
水道からバルブとビニールホースを介して送られた水はビニールホースに接続された１２給水管接続口から入り、９フロート式タンク給水調整バルブを通って３水位調整タンクに送られ、８フロート式給水調整バルブを介して３上部枠に設けられた４給水槽に送られ、或る水位に貯えられ、５毛細管式給水管内に拡がって６フェルトパッキンを介して７フェルトパネルに送られ、これに接する２下部タンク内の１３砂で全体的に拡散されて植物に与えられる。１上部枠と２下部タンクは１１ノブで一体に組合わされ、必要に応じて分解出来る。３水位調整タンクの上げ下げは１０タンク支持具に付いたボルトによって行う事が出来る。
【０００６】
【発明の効果】
本実施例では５部屋に仕切っているのは給水範囲が広くなると全体的に行き渡らなくなるので、給水効果が出る範囲内に収める為である。部屋数が多くなれば、部屋毎に種類を違えたり、収穫時期をずらしたり出来て好都合となる。少量ではあるが毎日のように使う野菜で、例えば、かいわれ大根とかもやしとか紫蘇の葉とか、変わったものではサニサイドレタスのようなもので下の葉をもぎながら使うものとか、その他色々なものが有りそうである。暖房出来るようにすれば年間通じて色々なものを作る事が可能になるし亜熱帯や熱帯の野菜も作る事が出来るようになる。
【図面の簡単な説明】
【図１】全体組立平面図
【図２】全体組立側面図
【図３】全体組立正面図
【図４】全体組立Ｂ−Ｂ矢視図
【図５】水位調整タンク平面図
【図６】水位調整タンク正面図
【図７】水位調整タンク側面図
【図８】Ａ−Ａ矢視断面拡大図
【図９】Ｃ矢視図
【図１０】毛細管式給水管断面拡大図
【符号の説明】
１  上部枠
２  下部タンク
３  水位調整タンク
４  給水槽
５  毛細管式給水管
６  フェルトパッキン
７  フェルトパネル
８  フロート式給水調整バルブ
９  フロート式タンク給水調整バルブ
１０  タンク支持具
１１  ノブ
１２  給水管接続口
１３  砂
【図１】
2004173660.tif 000003
【図２】
2004173660.tif 000004
【図３】
2004173660.tif 000005
【図４】
2004173660.tif 000006
【図５】
2004173660.tif 000007
【図６】
2004173660.tif 000008
【図７】
2004173660.tif 000009
【図８】
2004173660.tif 000010
【図９】
2004173660.tif 000011
【図１０】
2004173660.tif 000012
(57)【要約】〔課題〕  たくさんの種類のフルーツを安い価格で一度に食べられる、にぎり寿司タイプの、フルーツをネタにした寿司を提供する。〔解決手段〕にぎり寿司のシャリに形と大きさを近似させてフルーツ寿司用スポンジケーキ（１）をカットする。この場合、にぎり寿司のシャリは飯粒約４００粒を軽くにぎった大きさが基本であるから本発明のフルーツ寿司用スポンジケーキ（１）もその形と大きさに近似させる。にぎり寿司のシャリに近似させてカットしたフルーツ寿司用スポンジケーキ（１）の上にホイップクリーム（３）を塗り、ひと口で食べられる大きさにカットしたフルーツ（２）を載せて提供する。【特許請求の範囲】
【請求項１】
にぎり寿司のシャリに形と大きさを近似させたフルーツ寿司用スポンジケーキ（１）。
【請求項２】
フルーツ寿司用スポンジケーキ（１）の代わりにムースを使用する。
【請求項３】
フルーツ寿司用スポンジケーキ（１）の代わりにアイスクリームを使用する。
【発明の詳細な説明】
【０００１】
〔発明の属する技術分野〕
この発明は、あたかもにぎり寿司を食べるように、各種の小さくカットしたフルーツをネタにして食べられるフルーツ寿司用スポンジケーキ（１）である。
【０００２】
〔従来の技術〕
従来、各種、丸形や四角などさまざまなフルーツケーキがあった。
【０００３】
〔発明が解決しようとする課題〕
これらは次のような欠点があった。
（イ）  既に作りおかれており、にぎり寿司のネタのようにトッピングのフルーツを客が好むフルーツにとり換えることができなかった。消費者は店が用意した中から自分の好むものを選ぶしか方法がなかった。
（ロ）  フルーツを求める場合、西瓜やパイナップルなど一部を除き、多くは丸ごとか、ミカンのようにまとまった数でしか購入できず、一度に多くの種類のフルーツを小さく少しずつ食べることができなかった。
（ハ）  フルーツケーキの場合、売れ残って捨てることが予想されるので店はどうしても高価なフルーツや好む客が少ないフルーツケーキは用意しにくく、客は限られた種類のフルーツケーキしか購入できなかった。
【０００４】
〔課題を解決するための手段〕
フルーツ寿司用スポンジケーキ（１）をにぎり寿司のシャリに近似した形と大きさにカットする。
この場合、にぎり寿司のシャリは飯粒約４００粒を軽くにぎった大きさである。
本発明は以上のような構成よりなるフルーツ寿司用スポンジケーキ（１）である。
【０００５】
〔発明の実施の形態〕
以下、本発明の実施の形態について説明する。
フルーツ寿司用スポンジケーキ（１）をにぎり寿司のシャリに近似した形と大きさにカットする。
この場合、にぎり寿司のシャリは飯粒約４００粒を軽くにぎった大きさである。
本発明は以上のような構成で、これを実施するときは、客の注文に応じてフルーツ寿司用スポンジケーキ（１）の上にホイップクリーム（３）を塗り、その上に、ひと口で食べられる大きさにカットしたフルーツ（２）を載せて提供する。
フルーツ寿司用スポンジケーキ（１）の代わりにムースを使用すれば、よりやわらかな食感を得ることができる。フルーツ寿司用スポンジケーキ（１）の代わりにアイスクリームを使用すれば暑い夏に涼しく食べることができる。
フルーツ（２）は丸ごと準備しておき、客の注文に応じてカットすれば保存日数を長くすることができる。
【０００６】
〔発明の効果〕
酢飯をひとつかみ、飯粒にして約４００粒を軽くにぎってワサビを塗り、その上にひと口で食べられる大きさにカットしたマグロやエビ、イカなどを載せた、いわゆるにぎり寿司は江戸時代に発明されて以来、広く安定した人気を保持する食品である。
にぎり寿司の場合、もし経済的理由からマグロだけ、エビだけ、イカだけしか求められないとしたら、これ程の人気を得ることはできなかったであろう。
少ない予算で多種多様のネタを小さくたくさん食べられることが人気の主因である。
一方、フルーツの場合、少ない予算で多種多様を小さく、たくさん食べられるにぎり寿司タイプの食品は従来存在しなかった。
消費者は経済的理由から、例えばメロンだけ、オレンジだけ、あるいはリンゴとミカンだけというように一度には限られた種類のフルーツしか食べることができなかった。一度に１０種類のフルーツを食べることは不可能に近かった。
大多数の消費者が高価なメロンは何年も食べていないというより、食べられないというのが現状である。
更に近年、核家族、単身世帯、及び夫婦二人だけの世帯が増化している。平成１０年における当時厚生省国立社会保障・人口問題研究所「日本の世帯数の将来推計」によれば、平均世帯人員は平成１４年で約２．７人であり、将来もっと少なくなることが予測されている。大家族でたくさんの種類のフルーツを食べるという構図は極めて稀になることが予測されている。
そのような大半を占める核家族、単身世帯、及び夫婦二人だけの世帯を営なむ消費者にとって容易に出費できる価格で一度にたくさんの種類のフルーツを食べすぎて苦しくならないように小さく、少しずつ楽しく食べるには本発明のフルーツ寿司用スポンジケーキ（１）が不可決である。
にぎり寿司がシャリ抜きでネタだけではおいしくないように、フルーツもまた本発明のフルーツ寿司用スポンジケーキ（１）とホイップクリーム（３）と組み合わせて食べると、より一層おいしく食べることができる。食べる量もふえて満足感を得やすい。
極めて単純な形でしかも極く小さいフルーツ寿司用スポンジケーキ（１）であるが、以上のように本発明のフルーツ寿司用スポンジケーキ（１）によって全く新しい消費が生まれる。
消費者は手頃な価格で小さくたくさんの種類のフルーツを楽しく食べることができる。
【図面の簡単な説明】
【図１】本発明の斜視図である。
【図２】本発明の実施態様を示した斜視図である。
【符号の説明】
１  スポンジケーキ
２  フルーツ
３  ホイップクリーム
【図１】
2004173662.tif 000002
【図２】
2004173662.tif 000003
(57)【要約】【課題】イセエビ幼生の、大量採捕、育成を図る事にある。【解決手段】蒲鉾状面に、竹等を取付る、Ｖ字状溝を設け、底にＶ字イセエビ幼生採捕孔１を設け、溝２付開口部を設け、突出体３、注入孔４付、Ｔ字状結束体５を設け、ロープで結束、幼生採捕育成容器は、溝に竹、コレクター等を装着、幼生の着生を促す、溝付取付体８と、切り込み孔９に竹等装着、穴開きパイプで、付着幼生の増大を図り、育成部の、繁殖プランクトンで育成、アワビ養殖は、開口部溝に、網等を装着すれば、溝面、仕切り板面の着生面積が大きく、開口部よりの、海水循環が出来、浮魚礁としては、溝台部１５に長大な竹等を設置、切り込み孔１６をくり抜き、竹等を装着すれば、斜上下後方に、多数設置出来、産卵場、稚魚の隠れ場が増大、潮流抵抗の少ない、巨大な、浮魚礁となる。【選択図】  図２
2004173668.tif 000002
【特許請求の範囲】
【請求項１】
Ｖ字状採捕孔を、Ｖ字状溝に設け、Ｔ字状結束体で、合体係留する採捕容器
【請求項２】
溝付パイプ取付部、切り込み差し込み孔部を有し、Ｔ字状結束体部で、合体斜め上下後方に、パイプ、竹等を、扇状に設置する、潜水筒型浮魚礁
【請求項３】
合体時に、Ｖ字状溝と、大小の、溝付開口部を有した、養殖容器。
【発明の詳細な説明】
【０００１】
本発明は、イセエビ幼生採捕育成容器であり、アワビ養殖容器であり、回遊魚の産卵場、育成場とする、筒型浮魚礁である。
【０００２】
従来は、コレクターで、採捕していたが、魚類による食害が大きく、大量採捕が困難であった。
【０００３】
図について、説明すれば、
蒲鉾状面に、パイプ、竹等樹木を取付ける、深いＶ字状溝に台部を設けた、溝を数本設け、底面にＶ字状、イセエビ幼生採捕孔１を設け、半丸溝２付、逆漏斗状開口部を設け、組み合せ部に、突出体３、突出体受け孔４付、半丸Ｔ字状結束体５と、溝付半丸結束体６を設け、組み合せ、係留ロープで、Ｔ字状結束体溝間を通し、八の字状に結束すれば、結束体に、均等な力が掛かり、組立、解体が簡単な、波浪、衝撃に耐える、強固な容器となり、イセエビ幼生採捕育成容器、アワビ養殖容器、潜水筒型浮魚礁の機能を有した、物である。採捕育成容器としては、Ｖ型溝に、幼生の餌となる、珪藻、プランクトンが増殖する、割り竹、小枝、藁、コレクター等を入れ、イセエビ幼生の着生を促し、側面、底面に、幼生が通り、棲息する、突起帯体７を設け、採捕孔より、内部育成部に導く、先端部に、溝付パイプ取付体８と、切り込み孔９を設け、竹、コレクター等を装着した、穴開きパイプを取付、幼生付着体を多くし、付着幼生の増大を図り、パイプ内、溝を誘導育成部に導く育成部には、海水中の、養分を滞留させる、間仕切り板部１０付内部溝に、イセエビ幼生の、餌となる、珪藻、プランクトンが増殖する、割り竹、藁、コレクター等を、開口部間の、空間に詰め込み、漏斗口網１１、袋網１２を、開口部溝に取付、魚類の食害を防ぎ、幼生を保護、イセエビ幼生の育成を図る。
アワビ養殖容器としては、開口部溝に、網、金網等を装着すれば、Ｖ型溝面、間仕切り板面の、着生面積が大きく、開口部の大きさを、違え、波浪が高く、急流域の海面は、狭い開口部で、係留、静穏海面は、広い開口部で係留すれば、効率の良い、海水循環が出来、ロープ、結束体への、圧力の低減を図れる、開口部に、パイプ取付体１３、差し込み孔１４を設け、曲げたパイプを取付、網、金網で覆い、容器両面に、アワビを着生させ、養殖すれば、カキ、ウツボ等の付着物が無く、倍増のアワビを養殖出来、餌料となる、海藻を、入り口網に大量に供給出来、飼料供給の、手間を、大幅に省ける、養殖容器となる。
浮魚礁としては、結束部、容器の強度が高く、長大な竹、パイプを、溝台部１５に設置結束、切り込み孔をくり抜き、パイプ、竹等を装着、固定すれば、斜上下後方に、広げた形で、多数設置出来、産卵場、稚魚の隠れ場が増大、魚の遊泳水域が増え、潮流抵抗の少ない、巨大な、浮魚礁となる。
【０００４】
以上の様にすれば、浮魚礁として、魚類を増やし、アワビの養殖、イセエビ幼生採捕育成を、同時に出来る、容器となる。
【図面の簡単な説明】
【１図】イセエビ採捕育成容器の、実施例を示す、裏面図とである。
【２図】イセエビ採捕育成容器を合体した、実施例を示す、断面構成図である。
【３図】イセエビ採捕育成容器を合体した、実施例を示す、正面構成図である。
【４図】容器の、実施例を示す、側面断面構成図と、側面図である。
【５図】採捕育成容器に、穴開きパイプ、竹等を設置した、実施例を示す、斜視図である
【６図】開口部に、網を取付、養殖容器とした、実施例を示す、斜視構成図である。
【７図】半円パイプ、網を取付、養殖容器とした、実施例を示す、斜視構成図である。
【８】容器に、竹等を取付、浮魚礁とした、実施例を示す、斜視構成図である。
【図１】
2004173668.tif 000003
【図２】
2004173668.tif 000004
【図３】
2004173668.tif 000005
【図４】
2004173668.tif 000006
【図５】
2004173668.tif 000007
【図６】
2004173668.tif 000008
【図７】
2004173668.tif 000009
【図８】
2004173668.tif 000010
(57)【要約】【課題】この発明は、生のじゃが芋をすりおろし、ご飯を半つぶしにした物と片栗粉を合せて、じゃが芋の香りを失わないようにして、食感や味覚を感じることの出来るようにした芋飯もちを提供する。【解決手段】生のじゃが芋をすりおろし、ご飯を半つぶしにしたものと片栗粉を合せて、その合せたものを団子状にしたことを特徴とする。【特許請求の範囲】
【請求項１】
生のじゃが芋をすりおろし、ご飯を半つぶしにしたものと片栗粉を合せて、その合せたものを団子状にした芋飯もち。
【発明の詳細な説明】
【０００１】
【発明の属する技術分野】
この発明は、生のじゃが芋をすりおろし、ご飯を半つぶしにしたものと片栗粉を合せて、じゃが芋の香りを失わないようにして、食感や味覚を感じることの出来るようにした芋飯もちに関するものである。
これまで市場に出ていない食材である。
冷凍をして保存が出来るので日持ちのする食材である。
【０００２】
【従来の技術】
従来の芋もちは、じゃが芋を一度火を通してからつぶした食材のみで、もち型にしていた。
【０００３】
【発明が解決しようとする課題】
これには次のような欠点があった。
芋もちを食べても、じゃが芋の味がより少なく、米のもちかじゃが芋のもちかが食感、味覚共損われてしまっていた。
いままでの芋もちとして出ているものは、一度茹でた（煮た）芋をつぶしているので歯ごたえはなく、煮くずれして芋の味がよくわからなかった。
【０００４】
【課題を解決するための手段】
生のじゃが芋をすりおろし、ご飯を半つぶしにしたものと片栗粉を合せて、その合せたものを団子状にした。
本発明は以上の構成よりなる芋飯もち。
【０００５】
【発明の実施の形態】
以下、本発明の実施の形態について説明する。
生のじゃが芋をすりおろし、ご飯を半つぶしにしたものと片栗粉を合せて、その合せたものを団子状にしたものである。
材料の配分は、生じゃが芋約１ｋｇ、ご飯が約０．７合、片栗粉が約６０ｇである。
第１工程  ご飯を用意する。
第２工程  生のじゃが芋の皮をむき、すりおろす。
第３工程  すりおろした生のじゃが芋をざるに入れ、下に受皿を用意して、じゃが芋のカスと水の部分を分ける。
水の部分からはでん粉が取れる。
第４工程  カスの方を布などで水を切り、しぼっておく。
第５工程  第１工程のご飯を半つぶしにする。
つぶし方は、たとえば、すりばちかビニールの袋に入れて半つぶしにする。
第６工程  第４工程に第５工程を合せ、さらに片栗粉を入れて練る。
第７工程  全体がまんべんなく混ぜ合されたところで、約３ｃｍから４ｃｍ位の大きさの団子状にする。形状は細長くしてもよい。
この団子状の芋飯もちを冷凍して保存する。
本発明は以上の構成よりなる芋飯もちである。
これを食材として利用するときは、あらゆる鍋物、汁物はもちろん、焼いたり、油で揚げたり、蒸したりして食べることができる。
この芋飯もちは、煮くずれがしないのも特徴である。
本発明の実施の形態では、じゃが芋を例に説明したが、じゃが芋の他にさつま芋（むらさき等）、里芋、かぼちゃ、レンコン等、他の野菜でも同様に製造が出来る。
この芋飯もちは、生のじゃが芋を使うところが特徴である。
【０００６】
【発明の効果】
芋もちの食感、味覚共損わうことがない。
芋もちは、歯ごたえもあり、煮くずれがしない。
芋もちは、煮くずれがしないので、鍋物、汁物などの食材として最適である。
芋もちは、冷凍保存が出来る食材である。
また、造ってすぐに冷凍しても味に変化はないものである。
(57)【要約】【目的】従来、畑農具として古くから万能、三ッ鍬、スコップ等が愛用されてきた。しかし、これは労力としては大変で過酷なものであった。例えば、小農園者が使用しているスコップで、土を掘り起こすと、土が１０ｃｍ〜１５ｃｍの大きな塊柱となり、再度鍬等で砕き細粒化しなければならない。そこで、スコップで掘り起こすだけで、細粒化する特殊なスコツプを提供する。【解決手段】本体が数本の長い刃先から成るスコップにおいて、刃先の前面を略平坦にし、背面には突起部を設けたことを特徴とした農芸用スコツプが最適である。【選択図】    図１
2004173665.tif 000002
【特許請求の範囲】
【請求項１】
本体が数本の長い刃先から成るスコップにおいて、刃先の前面を略平坦にし、背面には突起部を設けたことを特徴とした農芸用スコツプ。
【請求項２】
請求項１記載の農芸用スコップにおいて、数本の刃先の長さが少なくとも２以上異なることを特徴とした農芸用スコツプ。
【請求項３】
請求項１又は２記載の農芸用スコップにおいて、刃先の先端が末広状であることを特徴とした農芸用スコツプ。
【発明の詳細な説明】
【０００１】
【産業上の利用分野】
本発明は、畑を掘り起こすスコップに関するものである。
【０００２】
【従来の技術】
畑を掘り起こす農具には、鍬やスコップ、又は大小の耕運機等があるが、本発明はスコップの形状について言及する。
従来のスコップには、本体が一枚の平板状のスコップや、三本の刃先（爪とも言われている。）を有するスコップ等がある。
【０００３】
【発明が解決しようとする課題】
上述のような、従来のスコップで畑を掘り起こすと、土は１０〜１５ｃｍ程度の塊柱状になって掘り起こされ、更に、細かく粒状にするには鍬等で打ち砕かなくてはならず、その後でなければ、種まきや苗植え等の作付けが出来ない。しかも、これらの作業は重労働であった。
そこで、本発明は、掘り起こした時点で土が細粒化されるスコップを提供し、従来の重労働を軽減させようとするものである。
【０００４】
【課題を解決しようとする手段】
本発明は、本体（１）が数本の長い刃先（２）（以下、図１に示すような板状または棒状の長い爪を言う。）から成るスコップにおいて、刃先の前面を略平坦にし、背面には断面形状が略半円形状または略三角形状等をした突起部（３）を設けたことを特徴とした農芸用スコツプでる。
また、本発明のスコップの刃先の長さが（２ａ）、（２ｂ）のごとく異なる農芸用スコップや、刃の先が末広状（４ａ）の物や、その先端が細く尖って（４ｂ）いる農芸用スコツプ等を提供する。
【０００５】
【発明の実施の形態】
本発明の実施の形態を図１〜３に基づき説明する。
第１実施例のスコップを図１に示す如く、長さの異なる３本の刃（２ａ）（２ｂ）を有するスコップで、刃の先は末広にして且つ先端を細く尖（４ｂ）らせ、中刃（２ｂ）の背面には刃幅と同等の幅で略半円形状の突起部（３）を設け、外刃（２ａ）には刃幅よりもやや細幅の突起部（３）を内側に寄せて設けた。
本実施例では外刃（２ａ）の突起部の幅を細くしたのは、スコップを出来るだけ軽くするためであって、特に、本発明を限定するものではない。
第２実施例を図２に示すが、スコップを軽量化するに本体の上部を孔（５）を設け、刃は末広状にせずに単に細く尖らせた。
第３実施例を図３に示す。突起部を略三角形状にし、刃先を末広状（４ａ）にした。
【０００６】
本発明のスコップの使用方法と各構成の作用を図４に基づき説明する。
先ず、図４のＸ図のように、スコップの本体の肩に足を掛け土中に刺し込むと、半円形状の突起部（３）によって放射状に後方（Ａ方向）の圧が土に加わる。
次に、図４のＹ図のように、スコップの前面にある土をすくい取るためには、スコップをやや手前Ｍ方向に傾けるが、その時には、刃が後方に食い込むことにより、斜め下方（Ｂ方向）に圧が放射状に加わると同時に、刃と刃との間の土が挟まれＣ方向に圧縮される。
この様に、スコップの前面の土を堀り起こす動作によって、スコップの背面の土には後方に、斜め下に、横（圧縮）にと複雑な圧が加わることにより、土には複雑な歪を内在する。
この様に複雑な歪みのある土を、図４のＹ図のように、次々とスコップですくい取られ、反転させるように落とすだけで、土が細かく砕けるものと考えられる。
その結果、細粒化された土と空気とが充分接し、酸素を多く含む良質な土に醸成できる。刃の先端が末広にすると、土や、細い根等を容易に切ることが出来る。
【０００７】
【発明の効果】
１．  本農芸用スコップは、背面の突起部によって、背面の土に複雑な圧を加えるころにより、掘り起こした土が容易に細かく砕ける。
２．  本農芸用スコップは、一枚平板とは違い、数本の刃先のみで本体を成しているので土に刺すときの抵抗が非常に少なく、スコップの自重も軽い等から、掘り起こし作業が非常に楽である。
３．  刃先の先端を末広状になっているので、土中の根等を容易に切断でき、掘り起こす際に、余分の抵抗がなくなる。
【図面の簡単な説明】
【図１】本発明の第１実施例の背面図と側面図を示す。
【図２】本発明の第２実施例の背面図を示す。
【図３】本発明の第３実施例の背面図を示す。
【図４】本発明の実施でスコップの動作と土に掛かる圧の加わり方を示す。
【符号の説明】
１  スコップ本体                        ２  刃先
２ａ  外刃                              ２ｂ  中刃
３  突起部                              ４  刃先の末広部
４ａ  刃の先端が末広状      ４ｂ  刃が末広状で先端細く尖っている
【図１】
2004173665.tif 000003
【図２】
2004173665.tif 000004
【図３】
2004173665.tif 000005
【図４】
2004173665.tif 000006